(57)【特許請求の範囲】
【請求項１】
ベースを備えるデュアルビュー表示基板であって、前記ベースに交替に配列した第１の表示領域と第２の表示領域が設けられ、前記第１の表示領域と前記第２の表示領域にそれぞれ表示ユニットが設けられ、
各前記第１の表示領域の各表示ユニットのメイン光射出方向が一致し、各前記第１の表示領域しか見えない第１の観察領域に対応し、各前記第２の表示領域の各表示ユニットのメイン光射出方向が一致し、各前記第２の表示領域しか見えない第２の観察領域に対応し、
前記ベースは複数のリブを備え、前記リブは第１の表示ユニット担持部と、第２の表示ユニット担持部とを備え、前記第１の表示ユニット担持部は第１の表示領域の表示ユニットに対応し、前記第２の表示ユニット担持部は第２の表示領域の表示ユニットに対応し、
前記ベースは、ベースレイヤと、ベースレイヤに形成された成型層とを備え、前記リブは前記成型層に形成され、
前記複数のリブは平行に配置され、
前記第１の表示ユニット担持部の表面は逆時計回りに前記表示基板の法線方向と第１の挟角を形成し、前記第２の表示ユニット担持部の表面は時計回りに前記表示基板の法線方向と第２の挟角を形成し、前記第１の挟角と前記第２の挟角は同時に９０度であることがなく、
前記リブの横断面は直角台形であって、前記直角台形の上底と傾斜辺は、前記リブの第１の表示ユニット担持部と第２の表示ユニット担持部に対応し、即ち前記第１の挟角と前記第２の挟角のうちの一方が９０度であることを特徴とするデュアルビュー表示基板。
【請求項２】
各第１の表示領域及び各第２の表示領域がそれぞれ、複数の列又は行の表示ユニットに対応し、各第１の表示領域の前記表示ユニットの各々が、複数の第１のサブ画素を含み、各第２の表示領域の前記表示ユニットの各々が、複数の第２のサブ画素を含むことを特徴とする請求項１に記載のデュアルビュー表示基板。
【請求項３】
デュアルビュー表示装置であって、請求項１又は２に記載のデュアルビュー表示基板を備えることを特徴とするデュアルビュー表示装置。
【請求項４】
前記デュアルビュー表示基板に形成されたシール層を更に備えることを特徴とする請求項３に記載のデュアルビュー表示装置。
【請求項５】
前記シール層は平坦の表面を有することを特徴とする請求項４に記載のデュアルビュー表示装置。
【発明の詳細な説明】
【技術分野】
【０００１】
本発明はデュアルビュー表示基板および表示装置に関する。
【背景技術】
【０００２】
デュアルビュー表示とは、同一のディスプレイスクリーンの前の両側（例えば左右両側）でそれぞれ異なる画像が見える表示技術を指す。
【０００３】
従来のデュアルビュー表示は主に格子によって実現されるものである。図１に示すように、ディスプレイスクリーン１０の前にスリット格子９を配置し、ディスプレイスクリーン１０は交替に配列した第１の表示領域５１１と第２の表示領域５１２とを備える。スリット格子９は交替に配列した遮光バーと透過バーとを備える。スリット格子９の作用により、ディスプレイスクリーン左側の左観察領域８１ではディスプレイスクリーンの一部の表示領域（複数の第１の表示領域５１１を含む）に表示される画像しか見えず、ディスプレイスクリーン右側の右観察領域８２ではディスプレイスクリーンの他の一部の表示領域（複数の第２の表示領域５１２を含む）に表示される画像しか見えない。左観察領域８１と右観察領域８２との間はクロストーク領域８３であり、ここでは第１の表示領域５１１および第２の表示領域５１２に表示される画像が同時に見えるので、表示される情報を正常に受信できない。第１の表示領域５１１と第２の表示領域５１２は交替に配列し、それぞれ複数の表示ユニットを備える。これにより、上記ディスプレイスクリーン１０とスリット格子９によってデュアルビュー表示が実現できる。
【０００４】
立体表示は、第１の表示領域５１１と第２の表示領域５１２が同時に見えることが必要であるため、立体表示観察領域がデュアルビュー表示におけるクロストーク領域８３に対応する。従って、立体表示を特別なデュアルビュー表示と見なしてもよい。
【０００５】
しかし、上記デュアルビュー表示には少なくとも下記の課題は存在する。即ち、該デュアルビュー表示はスリット格子によって実現されるものであり、スリット格子の構造が複雑、精細で、製造し難く、コストが高い。また、スリット格子と表示領域の位置に若干のずれがあれば、デュアルビュー表示の効果が影響されることになる。
【発明の概要】
【発明が解決しようとする課題】
【０００６】
本発明は従来の構造が複雑で、コストが高く、効果がよくないデュアルビュー表示技術の課題に対して、構造が簡単で、コストが安く、デュアルビュー表示の効果がよい表示基板を提供する。
【課題を解決するための手段】
【０００７】
本発明の１つの方面はデュアルビュー表示基板を提供し、該デュアルビュー表示基板はベースを備え、前記ベースに交替に配列した第１の表示領域と第２の表示領域が設けられ、前記第１の表示領域と前記第２の表示領域にぞれぞれ表示ユニットが設けられ、各前記第１の表示領域の各表示ユニットのメイン光射出方向が一致し、各前記第１の表示領域しか見えない第１の観察領域に対応し、各前記第２の表示領域の各表示ユニットのメイン光射出方向が一致し、各前記第２の表示領域しか見えない第２の観察領域に対応する。
【０００８】
表示ユニットの「メイン光射出方向」とは、表示ユニットの光がある程度の発散角度を有するが、大部分の光が同一の方向に集中して射出し、この方向を表示ユニットの「メイン光射出方向」と言い、通常は表示ユニットの垂直方向に沿って射出する。
【０００９】
本発明のデュアルビュー表示基板において、第１の表示領域と第２の表示領域のそれぞれに設けられた表示ユニットのメイン光射出方向が異なるため、ユーザは表示基板の異なる側から観察すれば、それぞれ表示基板における第１の表示領域と第２の表示領域の全体に表示された画像が見える。このように、スリット格子を使用せずにデュアルビュー表示の效果が実現でき、構造が簡単で、コストが安く、デュアルビュー表示の効果がよい。
【００１０】
例えば、前記ベースは複数のリブを備え、前記リブは第１の表示ユニット担持部と、第２の表示ユニット担持部とを備え、前記第１の表示ユニット担持部は第１の表示領域の表示ユニットの配置に用いられ、前記第２の表示ユニット担持部は第２の表示領域の表示ユニットの配置に用いられる。
【００１１】
例えば、前記複数のリブは平行に配置される。
【００１２】
例えば、前記第１の表示ユニット担持部の表面は逆時計回りに前記表示基板の法線方向と第１の挟角を形成し、前記第２の表示ユニット担持部の表面は時計回りに前記表示基板の法線方向と第２の挟角を形成し、前記第１の挟角と前記第２の挟角は同時に９０度であることがない。
【００１３】
「表示基板の法線方向」とは、表示基板のベースの表面に垂直する方向を指す。前記第１の表示領域が位置する領域の法線の方向が一致し、第２の表示領域が位置する領域の法線の方向が一致する。
【００１４】
例えば、前記リブの横断面が二等辺三角形である場合、前記二等辺三角形の両辺は、前記リブの第１の表示ユニット担持部と第２の表示ユニット担持部に対応し、即ち前記第１の挟角と前記第２の挟角は等しい。
【００１５】
更に、例えば、前記リブの横断面が二等辺三角形である場合、前記第１の挟角と第２の挟角はそれぞれ４５度である。
【００１６】
例えば、前記リブの横断面が直角台形である場合、前記直角台形の上底と傾斜辺が、前記リブの第１の表示ユニット担持部と第２の表示ユニット担持部に対応し、即ち前記第１の挟角と前記第２の挟角のうちの一方が９０度である。
【００１７】
例えば、前記ベースは成型層を更に備え、前記リブは前記成型層に設けられる。
【００１８】
本発明は従来の構造が複雑で、コストが高く、効果がよくないデュアルビュー表示技術の課題に対して、構造が簡単で、コストが安く、デュアルビュー表示の効果がよいデュアルビュー表示装置を提供する。
【００１９】
本発明のもう１つの方面はデュアルビュー表示装置を提供し、該デュアルビュー表示装置は上記デュアルビュー表示基板を備える。
【００２０】
本発明のデュアルビュー表示装置は上記デュアルビュー表示基板を備えるので、その構造が簡単で、コストが安く、デュアルビュー表示の効果がよい。
【００２１】
例えば、前記デュアルビュー表示装置は、前記デュアルビュー表示基板に形成されたシール層を更に備える。例えば、該シール層は平坦の表面を有する。
【００２２】
以下、本発明の実施例の技術案をさらに明確に説明するため、実施例の図面を簡単に説明する。明らかなように、以下の図面は本発明の一部の実施例に関するものに過ぎず、本発明を限定するものではない。
【図面の簡単な説明】
【００２３】
【図１】従来のスリット格子によってデュアルビュー表示を実現する原理図である。
【図２】本発明の実施例１のデュアルビュー表示基板の上面図である。
【図３】本発明の実施例１の１種のデュアルビュー表示基板の局部の断面図である。
【図４】本発明の実施例１のもう１種のデュアルビュー表示基板の局部の断面図である。
【図５】本発明の実施例１の更にもう１種のデュアルビュー表示基板の局部の断面図である。
【図６】本発明の実施例２のデュアルビュー表示装置の局部の断面図である。
【発明を実施するための形態】
【００２４】
以下、本発明実施例の目的、技術案及びメリットをさらに明確にするように、図面を参照しながら、本発明実施例の技術案を明確で完全に説明する。下記の実施例は、当然ながら、本発明実施例の一部であり、全ての実施例ではない。本発明実施例に基づき、当業者が創造性のある労働をする必要がない前提で得られる全ての他の実施例は、いずれも本発明の保護範囲に入る。
【００２５】
別途に定義しない限り、ここで使われる技術用語又は科学用語の意味は、本発明の分野で一般的技能を持っている人に理解される通常の意味である。本発明特許出願の明細書及び特許請求の範囲に記載の「第１」、「第２」及びそれに類似する言葉は順番、数量又は重要性を表すものではなく、異なる構成部分を区分しているだけである。同様に、「１つ」又は「１」などの類似する言葉も数量に対する制限ではなく、少なくとも１つが存在することを表すのである。「備える」又は「含む」及びそれに類似する言葉の意味は、「備えられる」又は「含まれる」の後ろに記載された素子又は部材が「備える」又は「含む」の前に挙げられた素子又は部材及びそれに同等するものを含める意味であり、その他の素子又は部材は排除されていない。「接続」又は「連結」及びそれに類似する言葉は、物理的又は機械的な接続に限定されるわけではなく、直接か間接かにもかかわらず、電気的な接続であってもよい。「上」、「下」、「左」、「右」などは相対的な位置関係を表す用語に過ぎず、説明対象の絶対位置が変化したら、該相対的な位置関係も対応して変化する。
【００２６】
実施例１
図２は実施例１のデュアルビュー表示基板の上面図である。図２に示すように、本実施例にデュアルビュー表示基板１００が提供され、該デュアルビュー表示基板１００はベース５を備え（図３を参照）、前記ベース５に、図の横方向に交替に配列されたストライプ状の第１の表示領域５１１と第２の表示領域５１２が複数設けられ、各前記第１の表示領域５１１と各前記第２の表示領域５１２にはそれぞれ複数の表示ユニット６が設けられる。表示ユニット６は四角形で概略的に示されている。
【００２７】
各第１の表示領域５１１における表示ユニット６のメイン光射出方向は一致し、且つ各第１の表示領域５１１しか見えない第１の観察領域（例えば図３における左側）に対応し、各第２の表示領域５１２における表示ユニットのメイン光射出方向は一致し、且つ各第２の表示領域５１２しか見えない第２の観察領域（例えば図３における右側）に対応する。
【００２８】
前記第１の表示領域５１１が位置する領域のベースの表面は逆時計回りに前記表示基板の法線（図３における点線）方向と第１の挟角αを形成し、前記第２の表示領域５１２が位置する領域のベースの表面は時計回りに前記表示基板の法線方向と第２の挟角βを形成する。前記第１の挟角αと前記第２の挟角βはそれぞれ０度より大きく、且つ両方は同時に９０度であることがない。即ち、前記第１の表示領域５１１と前記第２の表示領域５１２の向きが異なる。
【００２９】
通常、第１の表示領域５１１と第２の表示領域５１２はそれぞれストライプ状（例えば、縦方向又は横方向に沿ってアレイ基板の一方側から他方側に延びる）であり、且つ交替に配列する。第１の表示領域５１１と第２の表示領域５１２はそれぞれ複数列（行）の表示ユニット６に対応してもよい。各表示ユニット６は表示できるようにそれぞれ独立して作動することができ、且つ表示基板の１つの画素（或いはサブ画素、複数のサブ画素（例えばＲＧＢからなるサブ画素））に対応することができる。
【００３０】
表示ユニット６の具体的な構造を既知の形式で実現できる。例えば、本実施例の表示基板が有機発光ダイオード（Ｏｒｇａｎｉｃ Ｌｉｇｈｔ Ｅｍｉｔｔｉｎｇ Ｄｉｏｄｅ，ＯＬＥＤ）表示基板である場合、各表示ユニット６は有機発光ダイオードと、相応する駆動回路とを備えてもよい。例えば、駆動回路はスイッチングトランジスタと、駆動トランジスタと、蓄積容量とからなってもよい。また、例えば、本実施例の表示基板が電子インク表示基板である場合、各表示ユニット６は画素電極と、共通電極と、電子インク層と、相応する駆動回路と、などを備えてよい。
【００３１】
さらに、ベース５にゲートライン、データラインなどの回路構造が設けられ、例えばゲートラインは横方向に配置され、データラインは縦方向に配置され、ここでは詳細に説明しない。
【００３２】
本実施例のデュアルビュー表示基板において、第１の表示領域５１１と第２の表示領域５１２の向きが異なり（即ち、第１の表示領域５１１が位置する部分の表面の法線と第２の表示領域５１２が位置する部分の表面の法線とは異なる方向に向いている）、第１の表示領域５１１と第２の表示領域５１２の表示ユニット６からの光は直接に異なる方向に射出し、そのメイン光射出方向がそれぞれ異なる。このように、デュアルビュー表示基板の側方向から観察すれば、それぞれ第１の表示領域と第２の表示領域に表示される画像が見え、スリット格子の使用は必要とされない。このように、表示基板のベースの表面に対して処理するだけで、デュアルビュー表示の効果が実現でき、構造が簡単で、コストが安く、スリット格子と表示基板の位置合わせの不正確による観察問題も解決され、デュアルビュー表示の効果がよい。
【００３３】
図３は実施例１の１種のデュアルビュー表示基板の局部の断面図、例えばＡ−Ａ’の断面図である。図３に示すように、ベース５は平行に配置された複数のリブ７を複数備え、前記複数のリブ７は、それぞれ第１の表示領域５１１と第２の表示領域５１２に対応する第１の表示ユニット担持部７１と、第２の表示ユニット担持部７２とを備える。前記第１の表示ユニット担持部７１は、それに第１の表示領域５１１の表示ユニット６を配置することに用いられ、前記第２の表示ユニット担持部７２は、それに第２の表示領域５１２の表示ユニット６を配置することに用いられる。
【００３４】
前記第１の表示ユニット担持部７１の表面は逆時計回りに前記表示基板の法線（図３における点線）方向と第１の挟角αを形成し、前記第２の表示ユニット担持部７２の表面は時計回りに前記表示基板の法線方向と第２の挟角βを形成する。前記第１の挟角αと前記第２の挟角βはそれぞれ０度より大きく、且つ両方は同時に９０度であることがない。即ち、前記第１の表示領域と前記第２の表示領域の向きが異なる。これで分かるように、リブ７の構造により、ベース５の表面を簡単に２組の向きの異なる領域に分け、第１の表示領域５１１と第２の表示領域５１２の分割を実現することができる。
【００３５】
「表示基板の法線方向」とは、全体的に表示基板のベースの表面に垂直する方向を指し、前記第１の表示領域が位置する領域の法線、又は第２の表示領域が位置する領域の法線の方向ではない。
【００３６】
例えば、前記リブの横断面が二等辺三角形である場合、前記二等辺三角形の両辺は、前記リブの第１の表示ユニット担持部７１と第２の表示ユニット担持部７２に対応し、このとき、前記第１の挟角αと前記第２の挟角βは等しい。
【００３７】
更に、例えば、前記リブの横断面が二等辺直角三角形である場合、前記第１の挟角αと第２の挟角βはそれぞれ４５度である。
【００３８】
第１の表示領域５１１と第２の表示領域５１２の向きが一定の関係に合致する場合、デュアルビュー表示の効果が最もよい。第１の挟角αと第２の挟角βはそれぞれほぼ９０度であれば、即ち第１の表示領域５１１が位置する領域の基板の向きと、第２の表示領域５１２が位置する領域の基板の向きはほぼ平行し、且つ基板の法線方向に垂直する場合、第１の表示領域５１１と第２の表示領域５１２の画像は広い範囲内で混合することとなり、クロストーク領域が大きく、デュアルビュー表示が実現できる領域は少なすぎる。第１の挟角αと第２の挟角βはそれぞれほぼ０度であれば、即ち第１の表示領域５１１が位置する領域の基板の向きと、第２の表示領域５１２が位置する領域の基板の向きはほぼ平行し、且つ基板の法線方向に平行する場合、２つの観察領域の位置の差が大き過ぎ、観察が不便であり、また、第１の表示領域５１１と第２の表示領域５１２における表示ユニットからの光は隣接するリブ７に遮られやすく、表示の効果が影響される。第１の挟角αと第２の挟角βはそれぞれ４５度であれば、観察の効果がよくなる。
【００３９】
この方式により、リブ７はその中心面に対して左右対称のものであるため、ベース５の両側の同じ位置でそれぞれ第１の表示領域５１１と第２の表示領域５１２が見え、図１に示すクロストーク領域は小さくなり、引いてはなくなるため、一般のデュアルビュー表示の習慣に合う。
【００４０】
例えば、前記リブ７の横断面が直角台形である場合、前記直角台形の上底と傾斜辺は、前記リブ７の第１の表示ユニット担持部７１と第２の表示ユニット担持部７２に対応し、即ち前記第１の挟角と第２の挟角のうちの一方が９０度である。図４は実施例１のもう１種のデュアルビュー表示基板の局部の断面図である。図４に示すように、リブ７の横断面が直角台形であり、前記直角台形の上底と傾斜辺は、前記リブの両側面に対応し、即ち前記第１の挟角αは９０度ではなく、前記第２の挟角βは９０度である。勿論、前記第１の挟角αは９０度であり、前記第２の挟角βは９０度ではない場合も同様である。
【００４１】
勿論、第１の表示領域５１１と第２の表示領域５１２の異なる向きは、ベース５を他の形式に配置することによっても実現でき、第１の表示領域５１１と第２の表示領域５１２をそれぞれ異なる向きにすればよく、ここでは詳細に説明しない。
【００４２】
図３と図４に示す実施例において、リブ７はベース５の一部として形成され、ベース５は表示ユニット６などのアレイと表示回路の構造を備え、表示ユニット６又はその光射出面はリブの２つの側面に配置される。
【００４３】
図５は本実施例１の更にもう１種のデュアルビュー表示基板の局部の断面図である。図５に示すように、ベース５はベースレイヤ５３と、成型層５２とを備え、成型層５２はリブ７を有するように加工された。例えば、ベースレイヤ５３は通常ガラス基底、プラスチック基底で形成される。ベース５は表示ユニット６などのアレイと表示駆動回路の構造などを更に備え、表示ユニット６又はその光射出面はリブ７の２つの側面の第１の表示ユニット担持部７１と第２の表示ユニット担持部７２に配置される。ベースレイヤ５３の表面に成型層５２が形成された。成型層５２は、樹脂又は他の加工成型しやすい材料で形成されるのが望ましい。ガラス材について、それを加工してリブを形成する工程が複雑であり、プリンティング工程、フォトエッチング工程などの既知の工程により成型層５２を加工してリブ７を形成するのは簡単である。成型層５２及びそのリブ７を形成した後、例えば、成型層５２に第１の表示領域５１１と第２の表示領域５１２に対応する表示ユニット６を形成する。
【００４４】
表示ユニット６を形成する方法について、本分野の既知の方式で実現することができる。例えば、該表示基板がＯＬＥＤ表示基板である場合、堆積、フォトエッチングなどの方式によって有機発光ダイオードの各機能層及び駆動回路の構造などを形成してもよい。
【００４５】
相互に平行して配置されたリブを有する基板について、例えば、それぞれ第１の表示領域と第２の表示領域に対応する２枚の堆積用、或いはパターンニング用のマスクＡとＢを製造してもよい。ＯＬＥＤの陽極或いは陰極を形成するために第１の導電層を堆積する。有機発光層を順に堆積し、例えば正孔輸送層、電子輸送などの機能層を形成してもよい。ＯＬＥＤの陽極或いは陰極を対応して形成するために第２の導電層を堆積する。これで、ＯＬＥＤデバイスの構造が形成される。勿論、ＯＬＥＤデバイスを形成する前に、駆動素子とスイッチング素子とする薄膜トランジスタ（ＴＦＴ）を製造する必要があり、これも２枚のマスクの方法を利用してもよい。即ち、従来のアレイ基板を製造するステップを２回に分けて行い、第１の表示領域と第２の表示領域における対応する部材をそれぞれ形成する。
【００４６】
該表示基板が電子インク基板である場合、例えば、まず電子インク表示フィルムを単独に製造し、その後、該表示フィルムを成型層５２の表面に貼り付け、且つ該表示フィルムを成型層５２と同じ形状にして、光射出方向の異なる第１の表示領域と第２の表示領域を有させる。
【００４７】
プリンティング工程、又はデュアルトーンマスクを利用するフォトエッチング工程によってリブ７を形成することが更に望ましい。つまり、プリンティング工程によってリブ７の構造を有する成型層５２を直接に形成し、その後、成型層５２を例えばベース５の表面に貼り付けてよい。又は、まず完全の成型層５２を形成し、その後、デュアルトーンマスクを利用するフォトエッチング工程によって成型層５２を加工してリブ７を形成してもよい。デュアルトーンマスクはグレートーンマスクとも呼ばれ、フィルム層の異なる位置に対する異なる程度のエッチングを実現でき、それによってリブ７の構造を形成する。
【００４８】
実施例２
図６に示すように、本実施例はデュアルビュー表示装置を提供し、該デュアルビュー表示装置は上記実施例１のデュアルビュー表示基板を備える。
【００４９】
本実施例のデュアルビュー表示装置は上記デュアルビュー表示基板を備えるため、その構造が簡単で、コストが安く、デュアルビュー表示の効果がよい。
【００５０】
デュアルビュー表示装置は前記デュアルビュー表示基板に形成されたシール層４を更に備えることが望ましい。
【００５１】
図６に示すように、シール層４はデュアルビュー表示基板の表面を密封し、その上面は平坦であるため、デュアルビュー表示装置の表面は平面となり、リブ７、表示ユニット６などの構造が損傷を受けることが防止される。シール層４を既知の方法、材料などで形成してもよく、例えば、樹脂材を表示基板１００の表面に塗布して平坦化することで形成してもよく、ここでは詳細に説明しない。
【００５２】
勿論、本実施例のデュアルビュー表示装置は、例えば電源、駆動チップ、フレームなどの他の既知構造を更に備えてもよく、ここでは詳細に説明しない。
【００５３】
以上は本発明の例示的な実施例のみであり、本発明の保護範囲を限定するものではない。本発明の保護範囲は特許請求の範囲により確定される。
【符号の説明】
【００５４】
４        シール層
５        ベース
５１１    第1の表示領域
５１２    第2の表示領域
５２      成型層
５３      ベースレイヤ
６        表示ユニット
７        リブ
７１      第１の表示ユニット担持部
７２      第２の表示ユニット担持部
８１      左観察領域
８２      右観察領域
８３      クロストーク領域
９        スリット格子
１００    表示基板
α        第１の挟角
β        第２の挟角
【図１】
0006510426.tif 000002
【図２】
0006510426.tif 000003
【図３】
0006510426.tif 000004
【図４】
0006510426.tif 000005
【図５】
0006510426.tif 000006
【図６】
0006510426.tif 000007